【手続補正書】
【提出日】平成17年4月20日(2005.4.20)
【手続補正１】
【補正対象書類名】明細書
【補正対象項目名】特許請求の範囲
【補正方法】変更
【補正の内容】
【特許請求の範囲】
【請求項１】
利用条件に応じてオブジェクトの利用を管理するオブジェクト利用管理システムであって、
オブジェクトの利用の度に、利用者が提供者に利用権利を証明して利用許可を得て、オブジェクトを取得するとともに該オブジェクトの正当性を確認して、オブジェクトを利用可能な状態に展開して利用するとともに、利用終了後に展開されたオブジェクトを削除する、
ことを特徴とするオブジェクト利用管理システム。
【請求項２】
利用条件に応じてオブジェクトの利用を行なう情報処理装置であって、
オブジェクトについての利用権利を保持する利用権利管理部と、
オブジェクトの利用の度に、提供者に利用権利を証明して利用許可を得て、オブジェクトを取得するとともに該オブジェクトの正当性を確認する利用許可部と、
オブジェクトを利用可能な状態に展開して利用するとともに、利用終了後に展開されたオブジェクトを削除するオブジェクト利用部と、
を具備することを特徴とする情報処理装置。
【請求項３】
利用条件に応じてオブジェクトの利用を行なう情報処理方法であって、
オブジェクトについての利用権利を保持する利用権利管理ステップと、
提供者に利用権利を証明して利用許可を得る利用権利証明ステップと、
オブジェクトを取得するオブジェクト取得ステップと、
該オブジェクトの正当性を確認するオブジェクト正当性確認ステップと、
利用権利証明又はオブジェクト正当性確認が成功したことに応答して、オブジェクトを利用可能な状態に展開して利用するオブジェクト利用ステップと、
利用終了後に展開されたオブジェクトを削除するオブジェクト削除ステップと、
を具備することを特徴とする情報処理方法。
【請求項４】
オブジェクトは、音楽や映像などのデータ、アプリケーション・プログラム、オペレーティング・システム、ライブラリ、あるいはインターネット経由でつながったサーバと連係して動作するプログラム、又はサービスを含む、
ことを特徴とする請求項３に記載の情報処理方法。
【請求項５】
前記オブジェクト取得ステップでは、コンピュータ・ネットワーク経由で所定の提供者からオブジェクトをダウンロードする、
ことを特徴とする請求項３に記載の情報処理方法。
【請求項６】
取得したオブジェクトを蓄積するオブジェクト蓄積ステップをさらに備え、
前記オブジェクト取得ステップでは、蓄積されたオブジェクトが最新バージョンであれば該蓄積されたオブジェクトを取得するが、最新バージョンよりも古ければコンピュータ・ネットワーク経由で所定の提供者からオブジェクトをダウンロードする、
ことを特徴とする請求項３に記載の情報処理方法。
【請求項７】
前記利用権利証明ステップでは、前記オブジェクト蓄積ステップで蓄積されたオブジェクトが最新バージョンかどうかを提供者に確認する、
ことを特徴とする請求項３に記載の情報処理方法。
【請求項８】
提供者から得た利用許可には利用権利の証明なしにオブジェクトの利用が許容される期間又は回数が含まれており、
前記オブジェクト利用ステップでは、前記利用権利証明ステップの実行が不能である場合は、利用許可により許容された期間又は回数の範囲内で利用権利証明なしに前記オブジェクト蓄積ステップで蓄積されたオブジェクトの利用を許可する、
ことを特徴とする請求項６に記載の情報処理方法。
【請求項９】
利用条件に応じてオブジェクトの利用を管理する情報処理装置であって、
利用者毎のオブジェクトについての利用権利を管理するオブジェクト利用管理部と、
利用者からの利用権利の証明に応答して、前記オブジェクト利用管理部に保管されている該利用者の利用権利を参照して、オブジェクトの利用許可を決定する利用許可部と、
提供すべきオブジェクトを蓄積するオブジェクト蓄積部と、
を具備することを特徴とする情報処理装置。
【請求項１０】
利用条件に応じてオブジェクトの利用を管理する情報処理方法であって、
利用者毎のオブジェクトについての利用権利を管理するオブジェクト利用管理ステップと、
利用者からの利用権利の証明要求に応答して、当該利用者が持つ利用権利を参照して、
オブジェクトの利用許可を決定する利用許可ステップと、
を具備することを特徴とする情報処理方法。
【請求項１１】
オブジェクトは、音楽や映像などのデータ、アプリケーション・プログラム、オペレーティング・システム、ライブラリ、あるいはインターネット経由でつながったサーバと連係して動作するプログラム、又はサービスを含む、
ことを特徴とする請求項１０に記載の情報処理方法。
【請求項１２】
利用者からの要求に応じてオブジェクト提供ステップをさらに備える、
ことを特徴とする請求項１０に記載の情報処理方法。
【請求項１３】
前記利用許可ステップでは、利用者が持つ利用権利が利用権利の証明要求がなされた時点でのオブジェクトの利用条件に適うかどうかによってオブジェクトの利用許可を決定する、
ことを特徴とする請求項１０に記載の情報処理方法。
【請求項１４】
利用者からの利用権利の証明要求は利用者が持つオブジェクトのバージョン情報を含み、
前記利用許可ステップでは、該バージョン情報を検査して、最新のものであればその旨の許可命令を設定し、最新のものでなければ最新のオブジェクトの取得を指示する許可命令を設定する、
ことを特徴とする請求項１０に記載の情報処理方法。
【請求項１５】
前記利用許可ステップでは、利用権利の証明なしにオブジェクトの利用が許容される期間又は回数を利用許可に含める、
ことを特徴とする請求項１０に記載の情報処理方法。
【請求項１６】
利用条件に応じたオブジェクトの利用をコンピュータ・システム上で実行するようにコンピュータ可読形式で記述されたコンピュータ・プログラムであって、前記コンピュータ・システムに対し、
オブジェクトについての利用権利を保持する利用権利管理手順と、
提供者に利用権利を証明して利用許可を得る利用権利証明手順と、
オブジェクトを取得するオブジェクト取得手順と、
該オブジェクトの正当性を確認するオブジェクト正当性確認手順と、
利用権利証明又はオブジェクト正当性確認が成功したことに応答して、オブジェクトを利用可能な状態に展開して利用するオブジェクト利用手順と、
利用終了後に展開されたオブジェクトを削除するオブジェクト削除手順と、
を実行させることを特徴とするコンピュータ・プログラム。
【請求項１７】
利用条件に応じたオブジェクトの利用の管理をコンピュータ・システム上で実行するようにコンピュータ可読形式で記述されたコンピュータ・プログラムであって、前記コンピュータ・システムに対し、
利用者毎のオブジェクトについての利用権利を管理するオブジェクト利用管理手順と、
利用者からの利用権利の証明要求に応答して、当該利用者が持つ利用権利を参照して、
オブジェクトの利用許可を決定する利用許可手順と、
を実行させることを特徴とするコンピュータ・プログラム。
【手続補正２】
【補正対象書類名】明細書
【補正対象項目名】００３５
【補正方法】変更
【補正の内容】
【００３５】
また、本発明の第４の側面は、利用条件に応じたオブジェクトの利用をコンピュータ・システム上で実行するようにコンピュータ可読形式で記述されたコンピュータ・プログラムであって、前記コンピュータ・システムに対し、
オブジェクトについての利用権利を保持する利用権利管理手順と、
提供者に利用権利を証明して利用許可を得る利用権利証明手順と、
オブジェクトを取得するオブジェクト取得手順と、
該オブジェクトの正当性を確認するオブジェクト正当性確認手順と、
利用権利証明又はオブジェクト正当性確認が成功したことに応答して、オブジェクトを利用可能な状態に展開して利用するオブジェクト利用手順と、
利用終了後に展開されたオブジェクトを削除するオブジェクト削除手順と、
を実行させることを特徴とするコンピュータ・プログラムである。
【手続補正３】
【補正対象書類名】明細書
【補正対象項目名】００３６
【補正方法】変更
【補正の内容】
【００３６】
また、本発明の第５の側面は、利用条件に応じたオブジェクトの利用の管理をコンピュータ・システム上で実行するようにコンピュータ可読形式で記述されたコンピュータ・プログラムであって、前記コンピュータ・システムに対し、
利用者毎のオブジェクトについての利用権利を管理するオブジェクト利用管理手順と、
利用者からの利用権利の証明要求に応答して、当該利用者が持つ利用権利を参照して、オブジェクトの利用許可を決定する利用許可手順と、
を実行させることを特徴とするコンピュータ・プログラムである。